(57)【要約】【課題】  無線通信部が呼出信号を受信できる範囲が他の無線通信部が呼出信号を受信できる範囲と重複した場合でも、ナースコール子機の呼出し位置を正確に把握することができるようにすることを目的とする。【解決手段】  呼出し時に固有の音声を出力する音声出力部５をナースコール子機１に設け、所定の場所に配置された無線通信部６の近傍に出力された音声を入力する音声入力部７を設ける。ナースコール親機１０は、固有の音声とそれを発するナースコール子機１とを関連付けて記憶し、入力した音声と記憶された音声とを比較して、一致する音声に関連付けられたナースコール子機１の存在位置が無線通信部６および／または音声入力部７の設置位置としている。これにより、無線通信部６の受信範囲が重複した場合でもナースコール子機１の呼出し位置を正確に把握することができる。【選択図】        図１
2008060823.tif 000002
【特許請求の範囲】
【請求項１】
患者による呼出操作により呼出信号を無線通信により送信する呼出信号送信部と、前記呼出操作により固有のパターンの音声を出力する音声出力部とを備えたナースコール子機と、
前記ナースコール子機から送信された呼出信号を受信する無線通信部と、
前記無線通信部の近傍に設置され、前記音声出力部から出力された音声を入力する音声入力部と、
前記固有のパターンの音声とそれを発するナースコール子機とを関連付けて記憶する記憶部と、前記音声入力部に入力した音声のパターンと前記記憶部に記憶された音声のパターンとを比較して一致する音声のパターンに関連付けられたナースコール子機を特定し、前記無線通信部により受信した呼出信号によって呼出しを行なったナースコール子機を特定して、特定された共通のナースコール子機の存在位置を前記無線通信部および／または前記音声入力部の設置位置とする判定部とを備えたナースコール親機と、
を有するナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者（以下、単に患者と記載する）の近辺（例えば、ベッドの近辺など）に設置されたナースコール子機及び看護師や介護者（以下、単に医療従事者と記載する）の居る部屋（ナースセンタなど）に設置されたナースコール親機を有線や無線により接続している。そして、患者がナースコール子機を操作することにより、ナースコール親機が呼出し音やメロディ音を出力するようにしている。医療従事者は、ナースコール親機が発する呼出し音やメロディ音を聴いて、ナースコール親機に設けられた受話器により患者と通話する。
【０００３】
ところで、ナースコール子機を無線にてナースコールシステムに接続した場合には、ナースコール子機を携帯する患者が何処に居るかがわからなくなってしまうという問題があった。これを解決するために、ナースコール子機が無線で接続されたナースコールシステムにおいて、ナースコール子機からの呼出信号を受信した廊下灯（無線通信部を内蔵している）の近傍に患者が存在すると判定する技術が知られている（例えば、特許文献１など）。
【特許文献１】特開２００６−３３１６３号公報
【０００４】
しかしながら、この特許文献１に記載の技術では、廊下灯が呼出信号を受信できる範囲が他の廊下灯（例えば、上下階に存在する廊下灯など）と重複した場合に、ナースコール子機の呼出し位置を正確に把握することができないという問題があった。
【発明の開示】
【発明が解決しようとする課題】
【０００５】
本発明は、このような問題を解決するために成されたものであり、無線通信部が呼出信号を受信できる範囲が他の無線通信部が呼出信号を受信できる範囲と重複した場合でも、ナースコール子機の呼出し位置を正確に把握することができるようにすることを目的とする。
【課題を解決するための手段】
【０００６】
上述した課題を解決するために、本発明では、呼出し時にそれぞれ固有のパターンの音声を出力する音声出力部を無線ナースコール子機に設け、施設内の所定の場所に配置された無線通信部の近傍に無線ナースコール子機から出力された音声を入力する音声入力部を設ける。ナースコール親機は、固有のパターンの音声とそれを発するナースコール子機とを関連付けて記憶する記憶部を備え、音声入力部に入力した音声のパターンと記憶部に記憶された音声のパターンとを比較して一致する音声のパターンに関連付けられたナースコール子機を特定し、無線通信部により受信した呼出信号によって呼出しを行なったナースコール子機を特定して、特定された共通のナースコール子機の存在位置を無線通信部および／または音声入力部の設置位置と判断するようにしている。
【発明の効果】
【０００７】
上記のように構成した本発明によれば、無線通信部が呼出信号を受信できる範囲が他の無線通信部が呼出信号を受信できる範囲と重複した場合でも、ナースコール子機毎に出力される固有の音声を判別することによりナースコール子機の存在位置が特定されるので、ナースコール子機の呼出し位置を正確に把握することができる。
【発明を実施するための最良の形態】
【０００８】
以下、本発明の一実施形態を図面に基づいて説明する。図１は、本実施形態によるナースコールシステムの構成例を示すブロック図である。図１に示すように、本実施形態によるナースコールシステムは、ナースコール子機１、無線通信部６、音声入力部７及びナースコール親機１０を備えて構成されている。また、ナースコール子機１は、子機用制御部２、呼出操作部３、呼出信号送信部４、音声出力部５を備えて構成されている。また、ナースコール親機１０は、親機用制御部（特許請求の範囲の判定部に該当する）１１、インターフェース部１２、親機用スピーカ１３、表示部１４、記憶部１５を備えて構成されている。
【０００９】
図１において、ナースコール子機１は、患者によって携帯されており、無線によりナースセンターなどに設置されているナースコール親機１０に接続されている。
【００１０】
子機用制御部２は、ナースコール子機１の各構成要素を制御する。呼出操作部３は、患者による操作によって呼出信号を出力する。ここで、呼出操作部３は、患者により操作される図示しないボタンとボタンの操作により呼出信号を生成する図示しない呼出信号生成部とにより構成されている。患者は、医療従事者を呼び出したい場合に、呼出操作部３のボタンを押下する。
【００１１】
呼出信号送信部４は、呼出操作部３から出力された呼出信号を無線信号として外部に送信する。ここで、呼出信号には、ナースコール子機１を識別するための識別情報が含まれている。音声出力部５は、ナースコール子機１に固有のパターンの音声を出力するものであり、スピーカなどにより構成されている。ここで、子機用制御部２は、呼出操作部３から呼出信号を入力すると、音声出力部５を制御して、ナースコール子機１に固有のパターンの音声を放音させる。
【００１２】
無線通信部６は、ナースコール子機１から送信された呼出信号を受信し、ナースコール親機１０に出力する。ここで、無線通信部６は、施設内の所定の場所に複数設置されている。また、各無線通信部６が施設内の全ての場所にて呼出信号を受信できるように、無線通信部６の受信範囲に基づいて所定の間隔にて設置されている。また、無線通信部６は、有線によりナースコール親機１０に接続されている。また、無線通信部６は、呼出信号をナースコール親機１０に出力する際に、無線通信部６を識別するための無線通信部識別情報をナースコール親機１０に出力する。
【００１３】
音声入力部７は、ナースコール子機１から放音された音声を入力し、ナースコール親機１０に出力する。ここで、音声入力部７は、無線通信部６の近傍にそれぞれ設置されている。また、音声入力部７は、有線によりナースコール親機１０に接続されている。また、音声入力部７は、音声をナースコール親機１０に出力する際に、音声入力部７を識別するための音声入力部識別情報をナースコール親機１０に出力する。
【００１４】
親機用制御部１１は、ナースコール親機１０の各構成要素を制御する。インターフェース部１２は、無線通信部６が受信した呼出信号を入力すると共に、音声入力部７が入力した音声を入力する。親機用スピーカ１３は、ナースコール親機１０が呼出信号を入力した際に、呼出の発生をナースセンター内に報知するための警報を鳴らす。ここで、ナースコール子機１とナースコール親機１０との間で通話が行われるような場合には、親機用スピーカ１３は、ナースコール子機１を介して入力される患者の発する音声を出力する。
【００１５】
表示部１４は、ナースコール親機１０が呼出信号や音声を入力した際に、ナースコール子機１により呼出しを行なった患者の氏名などを表示する。ここで、患者の氏名は、呼出信号に含まれる識別情報により特定される。
【００１６】
記憶部１５は、各無線通信部６の無線通信部識別情報と各無線通信部６が設置された位置情報とを関連付けて記憶している。また、記憶部１６は、各音声入力部７の音声入力部識別情報と各音声入力部７が設置された位置情報（または対応する各無線通信部６が設置された位置情報）とを関連付けて記憶している。また、記憶部１５は、固有のパターンの音声とそれを発するナースコール子機１とを関連付けて記憶している。
【００１７】
ここで、親機用制御部１１は、インターフェース部１２に入力した音声のパターンと記憶部１５に記憶された音声のパターンとを比較する。そして、記憶された音声のパターンに所定の割合以上類似する音声を記憶された音声と一致すると判断して、その音声を出力したナースコール子機１を特定する。また、親機用制御部１１は、ナースコール子機１から入力した呼出信号によりナースコール子機１を特定する。また、親機用制御部１１は、前述した音声を入力した音声入力部７と、呼出信号を受信した無線通信部６とが共通するか否かを判定し、共通すると判断した場合には、親機用制御部１１は、その場所の近傍にナースコール子機１が存在すると判断する。換言すると、親機用制御部１１は、無線通信部６があるナースコール子機１の呼出信号を受信し、その無線通信部６の近傍に設置された音声入力部７が同じナースコール子機１の音声を入力した場合には、そのナースコール子機１がその無線通信部６および／または音声入力部７の設置場所の近傍に存在すると判断する。
【００１８】
以上詳しく説明したように、本実施形態によれば、呼出し時にそれぞれ固有のパターンの音声を出力する音声出力部５をナースコール子機１に設け、施設内の所定の場所に配置された無線通信部６の近傍にナースコール子機１から出力された音声を入力する音声入力部７を設ける。ナースコール親機１０は、固有のパターンの音声とそれを発するナースコール子機１とを関連付けて記憶する記憶部１５を備え、音声入力部７に入力した音声のパターンと記憶部１５に記憶された音声のパターンとを比較して一致する音声のパターンに関連付けられたナースコール子機１を特定し、無線通信部６により受信した呼出信号によって呼出しを行なったナースコール子機１を特定して、特定された共通のナースコール子機１の存在位置を無線通信部６および／または音声入力部７の設置位置と判断するようにしている。これにより、無線通信部６が呼出信号を受信できる範囲が他の無線通信部６の受信範囲と重複した場合でも、ナースコール子機１毎に出力される固有の音声を判別することによりナースコール子機１の存在位置が特定されるので、ナースコール子機１の呼出し位置を正確に把握することができる。
【００１９】
なお、前述した実施形態では、ナースコール親機１０にて音声を入力した音声入力部７と呼出信号を受信した無線通信部６とが共通するか否かを判定しているが、これに限定されない。例えば、無線通信部６および音声入力部７とを一体としたユニットにこのような機能を設けるようにしても良い。
【００２０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２１】
本発明は、病院や介護施設などで患者からの要求に応じて医療従事者を呼び出すナースコールシステムに有用である。
【図面の簡単な説明】
【００２２】
【図１】本実施形態によるナースコールシステムの構成例を示すブロック図である。
【符号の説明】
【００２３】
１    ナースコール子機
２    子機用制御部
３    呼出操作部
４    呼出信号送信部
５    音声出力部
６    無線通信部
７    音声入力部
１０    ナースコール親機
１１    親機用制御部
１２    インターフェース部
１３    親機用スピーカ
１４    表示部
１５    記憶部
【図１】
2008060823.tif 000003